(57)【要約】本開示は、光出力システムに関し、より具体的には、反射体およびレンズを有する、光出力システムに関する。いくつかの実施形態では、光出力システムは、拡張および仮想現実イメージングならびに可視化システムの一部であってもよい。いくつかの実施形態では、反射体と、反射体の光出力開口部に近接するレンズとを伴う、光学システムは、高空間均一性および高効率を伴う光出力を提供する。反射体は、実質的に角度が均一な光出力を提供するように成形され、レンズは、本角度が均一な光出力を空間的に均一な光出力に変換するように構成される。光出力は、光を変調し、画像を投影する、光変調器の中に指向されてもよい。
2019514034.tif 000002
【特許請求の範囲】
【請求項１】
光学システムであって、
反射体であって、
光入力開口部と、
光出力開口部と、
前記光入力開口部と前記光出力開口部との間に延在する反射内部側壁と
を備える、反射体と、
前記反射体の光出力開口部に近接するレンズと
を備える、光学システム。
【請求項２】
光エミッタを前記反射体の光入力開口部にさらに備える、請求項１に記載の光学システム。
【請求項３】
光源は、発光ダイオードである、請求項２に記載の光学システム。
【請求項４】
前記反射体は、反射体のアレイのうちの１つであり、各反射体は、関連付けられたレンズを前記反射体の出力開口部の前方に有する、請求項１に記載の光学システム。
【請求項５】
前記反射体のアレイは、一体型本体内の開口部の側壁によって形成される、請求項４に記載の光学システム。
【請求項６】
前記反射体は、反射体のグループを形成し、各グループの反射体は、他のグループの反射体と比較して、前記反射体の光入力開口部と光出力開口部との間に異なる長さを有する、請求項４に記載の光学システム。
【請求項７】
前記反射体の長さは、各反射体と関連付けられた光源によって放出される光の波長に応じて変動する、請求項６に記載の光学システム。
【請求項８】
前記反射体と関連付けられた光源は、光源のグループを形成し、各グループは、異なる波長範囲の光を放出する、請求項７に記載の光学システム。
【請求項９】
前記光源は、光源の３つまたはそれを上回るグループを形成する、請求項７に記載の光学システム。
【請求項１０】
前記光源は、光源の３つのグループを形成し、前記グループの第１のものは、赤色光を放出し、前記グループの第２のものは、緑色光を放出し、前記グループの第３のものは、青色光を放出する、請求項９に記載の光学システム。
【請求項１１】
前記レンズを通して前記反射体によって出力された光を受信するように構成される光変調デバイスをさらに備える、請求項４に記載の光学システム。
【請求項１２】
前記光変調デバイスは、液晶ディスプレイ（ＬＣＤ）またはデジタル光処理（ＤＬＰ）ディスプレイを備える、請求項１１に記載の光学システム。
【請求項１３】
導波管のスタックをさらに備え、各導波管は、前記光変調デバイスからの光を受信するように構成される光内部結合光学要素を備える、請求項１１に記載の光学システム。
【請求項１４】
各導波管の光内部結合光学要素は、前記スタックの中への前記光の伝搬軸に沿って見られるように、他の導波管の光内部結合光学要素から空間的にオフセットされる、請求項１３に記載の光学システム。
【請求項１５】
前記反射体の空間配列は、平面図に見られるように、前記光内部結合光学要素の空間配列と１対１で対応する、請求項１４に記載の光学システム。
【請求項１６】
前記導波管のスタックの各導波管は、前記導波管のスタックの他の導波管の少なくともいくつかと比較して異なる発散量を伴う光を出力するように構成される光外部結合光学要素を備える、請求項１３に記載の光学システム。
【請求項１７】
前記側壁は、前記反射体の高さに沿って延在する中央平面に沿って得られる断面に見られるように、ある曲率の複合放物面型集光器（ＣＰＣ）を有し、前記中央平面は、相互に直交する、請求項１に記載の光学システム。
【請求項１８】
２つの対向内部側壁のＣＰＣ曲率は、前記内部側壁のうちのその他のもののＣＰＣ曲率と異なる、請求項１８に記載の光学システム。
【請求項１９】
前記内部側壁のうちのその他のものは、同一ＣＰＣ曲率を有する、請求項１８に記載の光学システム。
【請求項２０】
前記側壁のそれぞれは、前記反射体の高さに沿って延在する軸に対して横方向の平面に沿って得られる断面に見られるように、実質的に近いプロファイルを有する、請求項１８に記載の光学システム。
【請求項２１】
前記側壁は、前記光入力端部から前記光出力端部まで実質的に線形に延在する、請求項１に記載の光学システム。
【請求項２２】
前記側壁は、実質的に角度が均一な光出力を提供するように成形され、前記レンズは、前記実質的に角度が均一な光出力を実質的に空間的に均一な光出力に変換するように構成される、請求項１に記載の光学システム。
【請求項２３】
前記反射体は、偶数の側壁から成る、請求項１に記載の光学システム。
【請求項２４】
前記反射体は、８つまたはそれを上回る側壁を備える、請求項１に記載の光学システム。
【請求項２５】
前記反射体の光出力開口部は、第２の軸より第１の軸に沿って広い形状を有する、請求項１に記載の光学システム。
【請求項２６】
前記光出力開口部は、楕円形形状を有する、請求項２５に記載の光学システム。
【請求項２７】
前記光出力開口部は、前記第１の軸に沿って直線辺および前記第２の軸に沿って湾曲辺を伴う、形状を有する、請求項２５に記載の光学システム。
【請求項２８】
前記反射体の光出力開口部および光入力開口部は、異なる形状を有する、請求項２５に記載の光学システム。
【請求項２９】
マスクを反射体の前方にさらに備え、前記マスクは、前記光出力開口部と整合されるマスク開口部を有し、前記マスク開口部は、前記光出力開口部と異なる形状または異なるサイズのうちの１つまたはそれを上回るものを有する、請求項１に記載の光学システム。
【請求項３０】
前記マスクは、前記レンズの前方にある、請求項２９に記載の光学システム。
【発明の詳細な説明】
【技術分野】
【０００１】
（関連出願の相互参照）
本願は、２０１６年２月２６日に出願され“ＬＩＧＨＴ  ＯＵＴＰＵＴ  ＳＹＳＴＥＭ  ＷＩＴＨ  ＲＥＦＬＥＣＴＯＲ  ＡＮＤ  ＬＥＮＳ  ＦＯＲ  ＨＩＧＨＬＹ  ＳＰＡＴＩＡＬＬＹ  ＵＮＩＦＯＲＭ  ＬＩＧＨＴ  ＯＵＴＰＵＴ”と題された米国仮出願第６２／３００，７４２号の３５  Ｕ．Ｓ．Ｃ．  §  １１９（ｅ）の下での優先権の利益を主張するものであり、この開示は、全体が参照により本明細書中に援用される。  
【０００２】
本願はまた、２０１４年１１月２７日に出願された米国出願第１４／５５５，５８５号、２０１５年４月１８日に出願された米国出願第１４／６９０，４０１号、２０１４年３月１４日に出願された米国出願第１４／２１２，９６１号、２０１４年７月１４日に出願された米国出願第１４／３３１，２１８号の各々の全体を参照により援用する。
【０００３】
本開示は、光出力システムに関し、より具体的には、反射体およびレンズを有する、光出力システムに関する。いくつかの実施形態では、光出力システムは、拡張および仮想現実イメージングならびに可視化システムの一部であってもよい。
【背景技術】
【０００４】
イメージングおよび可視化システムは、光を光変調デバイスの中に出力し、次いで、光を変調および投影し、画像を視認者の眼内に形成する、システムを利用してもよい。現代のイメージングおよび可視化システムの必要性を満たすことができる、光投影システムを開発する継続的必要性がある。
【発明の概要】
【課題を解決するための手段】
【０００５】
いくつかの実施形態では、光学システムが、提供される。光学システムは、光入力開口部と、光出力開口部と、光入力開口部と光出力開口部との間に延在する、反射内部側壁とを備える、反射体を備える。光学システムはまた、反射体の光出力開口部に近接するレンズを備える。反射体の側壁は、実質的に角度が均一な光出力を提供するように成形されてもよく、レンズは、実質的に角度が均一な光出力を実質的に空間的に均一な光出力に変換するように構成されてもよい。いくつかの実施形態では、反射体は、反射体のアレイのうちの１つであって、各反射体は、関連付けられたレンズを反射体の出力開口部の前方に有する。
【０００６】
光学システムはさらに、レンズを通して反射体によって出力された光を受信するように構成される、光変調デバイスを備えてもよい。光学システムはまた、導波管のスタックをさらに備えてもよく、各導波管は、光変調デバイスからの光を受信するように構成される、光内部結合光学要素を備える。各導波管の光内部結合光学要素は、スタックの中への光の伝搬軸に沿って見られるように、他の導波管の光内部結合光学要素から空間的にオフセットされてもよい。反射体の空間配列は、平面図に見られるように、光内部結合光学要素の空間配列と１対１で対応および整合してもよい。
【図面の簡単な説明】
【０００７】
【図１】図１は、ＡＲデバイスを通した拡張現実（ＡＲ）のユーザのビューを図示する。
【０００８】
【図２】図２は、ウェアラブルディスプレイシステムの実施例を図示する。
【０００９】
【図３】図３は、ユーザのための３次元画像をシミュレートするための従来のディスプレイシステムを図示する。
【００１０】
【図４】図４は、複数の深度平面を使用して３次元画像をシミュレートするためのアプローチの側面を図示する。
【００１１】
【図５】図５Ａ−５Ｃは、曲率半径と焦点半径との間の関係を図示する。
【００１２】
【図６】図６は、画像情報をユーザに出力するための導波管スタックの実施例を図示する。
【００１３】
【図７】図７は、導波管によって出力された出射ビームの実施例を図示する。
【００１４】
【図８】図８は、各深度平面が複数の異なる原色を使用して形成される画像を含む、スタックされた導波管アセンブリの実施例を図示する。
【００１５】
【図９Ａ】図９Ａは、それぞれ、内部結合光学要素を含む、スタックされた導波管のセットの実施例の断面側面図を図示する。
【００１６】
【図９Ｂ】図９Ｂは、図９Ａの複数のスタックされた導波管の実施例の斜視図を図示する。
【００１７】
【図９Ｃ】図９Ｃは、図９Ａおよび９Ｂの複数のスタックされた導波管の実施例の上下平面図を図示する。
【００１８】
【図１０】図１０は、複合放物面型集光器（ＣＰＣ）のプロファイルを有する、反射体の実施例を図示する。
【００１９】
【図１１】図１１は、反射体およびレンズを有する、光学システムの実施例を図示する。
【００２０】
【図１２】図１２は、光エミッタ、反射体、およびレンズを有する、光学システムの実施例を図示する。
【００２１】
【図１３】図１３は、図１１−１２の光学システムからの光出力の実施例を図示する。
【００２２】
【図１４Ａ】図１４Ａ−１４Ｆは、異なる形状を伴う光入力開口部および光出力開口部を有する、反射体の実施例を図示する。
【図１４Ｂ】図１４Ａ−１４Ｆは、異なる形状を伴う光入力開口部および光出力開口部を有する、反射体の実施例を図示する。
【図１４Ｃ】図１４Ａ−１４Ｆは、異なる形状を伴う光入力開口部および光出力開口部を有する、反射体の実施例を図示する。
【図１４Ｄ】図１４Ａ−１４Ｆは、異なる形状を伴う光入力開口部および光出力開口部を有する、反射体の実施例を図示する。
【図１４Ｅ】図１４Ａ−１４Ｆは、異なる形状を伴う光入力開口部および光出力開口部を有する、反射体の実施例を図示する。
【図１４Ｆ】図１４Ａ−１４Ｆは、異なる形状を伴う光入力開口部および光出力開口部を有する、反射体の実施例を図示する。
【００２３】
【図１５Ａ】図１５Ａおよび１５Ｂは、それぞれ、図１４Ａ−１４Ｃおよび１４Ｄ−１４Ｆの反射体の光出力のための均一性マップの実施例を図示する。
【図１５Ｂ】図１５Ａおよび１５Ｂは、それぞれ、図１４Ａ−１４Ｃおよび１４Ｄ−１４Ｆの反射体の光出力のための均一性マップの実施例を図示する。
【００２４】
【図１６】図１６は、レンズと併せた図１４Ａ−１４Ｃの反射体のための角度空間内の光出力の強度を示すマップの実施例を図示する。
【００２５】
【図１７】図１７Ａ−１７Ｂは、それぞれ、図１４Ａ−１４Ｃおよび１４Ｄ−１４Ｆの反射体のアレイの実施例の斜視図を図示する。
【００２６】
【図１８】図１８は、光エミッタ、反射体、およびレンズのアレイと、マスクとを有する、光学システムの実施例の斜視図を図示する。
【００２７】
【図１９】図１９は、反射体のアレイと、配線等の光エミッタ構造のためのくぼみとを有する、材料の本体の実施例の斜視図を図示する。
【００２８】
【図２０】図２０Ａ−２０Ｂは、異なる高さを伴う反射体を有する、材料の本体の実施例の斜視図を図示する。
【００２９】
【図２１Ａ】図２１Ａ−２１Ｅは、反射体の実施例の種々の図を図示する。
【図２１Ｂ】図２１Ａ−２１Ｅは、反射体の実施例の種々の図を図示する。
【図２１Ｃ】図２１Ａ−２１Ｅは、反射体の実施例の種々の図を図示する。
【図２１Ｄ】図２１Ａ−２１Ｅは、反射体の実施例の種々の図を図示する。
【図２１Ｅ】図２１Ａ−２１Ｅは、反射体の実施例の種々の図を図示する。
【００３０】
【図２２Ａ】図２２Ａ−２２Ｂは、図２１の反射体の付加的斜視図を図示する。
【図２２Ｂ】図２２Ａ−２２Ｂは、図２１の反射体の付加的斜視図を図示する。
【００３１】
【図２２Ｃ】図２２Ｃ−２２Ｄは、それぞれ、反射体の光出力開口部側および光入力開口部側から見たときの図２１の反射体の斜視図を図示する。
【図２２Ｄ】図２２Ｃ−２２Ｄは、それぞれ、反射体の光出力開口部側および光入力開口部側から見たときの図２１の反射体の斜視図を図示する。
【００３２】
【図２３Ａ】図２３Ａおよび２３Ｂは、それぞれ、丸みを帯びたプロファイルを有し、かつ内部側壁の交差点における鋭的角を有する、反射体の光出力のための均一性マップの実施例を図示する。
【図２３Ｂ】図２３Ａおよび２３Ｂは、それぞれ、丸みを帯びたプロファイルを有し、かつ内部側壁の交差点における鋭的角を有する、反射体の光出力のための均一性マップの実施例を図示する。
【００３３】
図面は、例示的実施形態を図示するために提供され、本開示の範囲を限定することを意図するものではない。
【発明を実施するための形態】
【００３４】
ディスプレイシステムは、光エミッタからの光を変調し、次いで、視認者によって視認するために、その光を投影させることによって、画像を形成し得る。いくつかのイメージングシステムは、光エミッタのアレイを利用し得、そのそれぞれは、独立して、光を光変調器に提供する。光エミッタは、種々の課題を提示する。例えば、光エミッタのアレイを伴うシステムは、複雑であり得、複数の構造が、光の伝搬を光変調器に指向するために利用される。アセンブリの複雑性に起因して、システムは、製造が困難であり得る。
【００３５】
加えて、ディスプレイシステムによって形成される画像の明るさ均一性は、光変調器によって光エミッタから受信された光の空間均一性に依存し得ることを理解されたい。その結果、良好な明るさ均一性を伴う画像を表示するために、光変調器によって受信された光は、空間的に均一であることが望ましい。
【００３６】
有利には、いくつかの実施形態によると、反射体と、反射体の光出力開口部に近接するレンズとを伴う、光学システムは、高空間均一性および高効率を伴う光出力を提供する。好ましくは、反射体は、実質的に角度が均一な光出力を提供するように成形され、レンズは、本角度が均一な光出力を空間的に均一な光出力に変換するように構成される。反射体は、光エミッタからの光を収容および／または受信するための光入力開口部と、その受信された光を出力するための光出力開口部とを有する。いくつかの実施形態では、光エミッタは、ランバート角度分布を伴う光を放出する。いくつかの実施形態では、光エミッタは、延在された光源であって、例えば、発光ダイオードであってもよい。いくつかの実施形態では、光入力および出力開口部の形状は、異なってもよい。いくつかの実施形態では、レンズは、反射体の光出力開口部に近接する（例えば、その前方にある）。
【００３７】
いくつかの実施形態では、反射体の内部反射表面の曲率は、断面側面図に見られるように、楕円形、双曲線、または双円錐形状の輪郭に従ってもよい。いくつかの実施形態では、反射体の内部反射表面は、反射体が比較的に大光出力開口部からより小さい光入力開口部へとテーパ状になるにつれて、略線形プロファイルを有してもよい。好ましくは、反射体の反射表面は、エミッタ表面内に固定される設計形状またはサブ開口に対応する縁光線のセットを実質的にコリメートするように成形される。縁光線の１つを上回るセットが、反射体の設計内に含まれてもよいことを理解されたい。例えば、＋／−５０ミクロンの軸方向光エミッタ偏移を可能にするように設計される反射体は、各セットを実質的にコリメートするように選定される反射体形状を用いて、本範囲に及ぶ縁光線のいくつかのセットとともに設計されてもよい。いくつかの実施形態では、反射体の反射表面の結果として生じる形状は、若干、理想化された軸外放物線断面から逸脱し得るが、複合放物面型集光器（ＣＰＣ）の形状に実質的に類似し得る。レンズおよび光エミッタに関する形状およびパラメータは、所望のレベルの空間的に均一な光出力および効率を達成するように併せて選定されてもよいことを理解されたい。
【００３８】
いくつかの実施形態では、反射体の反射内部表面は、複合放物面型集光器（ＣＰＣ）のプロファイル（断面側面図から見ると）を有し、本プロファイルまたは曲率は、少なくとも反射体の高さ軸に沿って延在する２つの中央平面に沿って得られる断面に存在し、中央平面は、相互に直交する。反射体の高さは、光入力開口部と光出力開口部との間の距離であることを理解されたい。
【００３９】
いくつかの好ましい実施形態では、反射体の内部表面は、複数の側面を有してもよく、それらの側面は全て、側面図に見られるように、ＣＰＣプロファイルを有してもよい。加えて、反射体の高さ軸に対して横方向の平面に沿って得られる断面側面図に見られるように、全ての内部側壁は、線形または平坦であってもよい。したがって、内部側壁は、ファセットであると見なされ、角をこれらの内部側壁の交差点に形成し得る。好ましくは、内部側壁の交差点におけるこれらの角は、前述のように、側壁の線形性質に起因して、鋭角である。いくつかの実施形態では、２つの対向内部側壁は、他の内部側壁と異なるＣＰＣプロファイルを有してもよい。いくつかの実施形態では、それらの他の内部側壁は全て、同一ＣＰＣプロファイルである。いくつかの他の実施形態では、少なくとも２つの内部側壁または全ての内部側壁は、実質的に線形であって、反射体の光入力端部から光出力端部まで延在する。好ましくは、内部側壁の総数は、６つまたはそれを上回る、もしくはより好ましくは、８つまたはそれを上回る。
【００４０】
いくつかの実施形態では、複数の反射体および関連付けられたレンズは、例えば、光変調器に出力される、離散し空間的に分離された光源を提供する、アレイを形成する。例えば、異なる光エミッタは、光を各反射体および関連付けられたレンズの中に出力してもよい。いくつかの実施形態では、マスクが、レンズの前方に提供され、所望の断面形状を伴う光出力を提供してもよい。いくつかの実施形態では、光エミッタの少なくともいくつかは、光エミッタのその他と異なる波長の光を放出してもよい。いくつかの実施形態では、反射体の少なくともいくつかは、反射体のその他と異なる高さを有してもよい。いくつかの実施形態では、反射体、レンズ、および／またはマスクは、材料の別個のプレート内に形成されてもよく、これは、後に、光出力モジュールに組み立てられてもよい。
【００４１】
ＣＰＣは、従来、例えば、太陽熱集熱装置内で光を収集する、またはスポットライト用途において光を出力するために使用されていることを理解されたい。ＣＰＣは、良好な角度均一性を伴う光を出力するが、光は、特に、ＣＰＣが円形形状をその出力開口部に有する場合、低光強度を円形形状の内部に伴う円形形状を形成し得る。そのような円形形状は、容認不可能に空間的に非均一な光出力を示し、これは、イメージングシステム内における光を提供するためのＣＰＣの使用を妨害し得る。
【００４２】
しかしながら、角度が均一な光出力を提供するプロファイルを有する反射体をレンズと併用して、非常に空間的に均一な光出力が提供され得ることが見出されている。いくつかの実施形態では、レンズは、レンズを通して通過後、光が非常に空間的に均一な光に変換されるように、反射体の非常に角度が均一な光出力を利用し、フーリエ変換を本光に行う。
【００４３】
有利には、高空間均一性は、非常に空間的に均一な光出力が所望される種々の光学システム内で、光出力システムが利用されることを可能にする。例えば、光学システムは、ディスプレイシステムであってもよく、光出力システムは、画像を形成するために、光を光変調デバイスの中に出力してもよい。光出力システムはまた、高効率を提供し得、これは、画像明るさを増加させることができる。例えば、光入力および出力表面の形状は、それぞれ、光エミッタおよび出力された光を受信する表面の形状に合致するように選定されてもよい。本合致は、高効率を促進し、光エミッタ光からの非常に高割合の光が、受信表面に到達する。加えて、反射体は、材料の１つまたはそれを上回る一体型本体内に形成されてもよく、これは、反射体間の光漏出をブロックしながら、製造を簡略化し、コンパクト構造を提供する利点を提供することができる。加えて、マスク開口部等の他の関連付けられた構造もまた、反射体上にオーバーレイされ得る、一体型本体内に形成されてもよく、これは、それらの構造の製造および統合された光学システムの中へのそれらの構造の後続組立を簡略化することができる。いくつかの実施形態では、反射体およびレンズは、４−Ｄ光成形を達成するように構成される。
【００４４】
ここで、図を参照するが、同様の参照番号は、全体を通して同様の特徴を指す。
【００４５】
図１を参照すると、拡張現実場面１が、描写される。現代のコンピューティングおよびディスプレイ技術は、いわゆる「仮想現実」または「拡張現実」体験のためのシステムの開発を促進しており、デジタル的に再現された画像またはその一部が、現実であるように見える、もしくはそのように知覚され得る様式でユーザに提示される。仮想現実または「ＶＲ」シナリオは、典型的には、他の実際の実世界の視覚的入力に対する透明性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴う。複合現実または「ＭＲ」シナリオは、一種のＡＲシナリオであって、典型的には、自然世界の中に統合され、それに応答する、仮想オブジェクトを伴う。例えば、ＭＲシナリオは、実世界内のオブジェクトによってブロックされて見える、または別様にそれと相互作用するように知覚される、ＡＲ画像コンテンツを含んでもよい。図１は、拡張現実場面１が、図示されており、ＡＲ技術のユーザには、背景における人々、木々、建物を特徴とする実世界公園状設定２０と、コンクリートプラットフォーム３０とが見える。ユーザはまた、実世界プラットフォーム１１２０上に立っているロボット像４０と、マルハナバチの擬人化のように見える、飛んでいる漫画のようなアバタキャラクタ５０等の「仮想コンテンツ」を「見ている」と知覚する。これらの要素５０、４０は、実世界には存在しないという点において「仮想」である。ヒトの視知覚系は、複雑であって、他の仮想または実世界画像要素間における仮想画像要素の快適で、自然のような感覚で、かつ豊かな提示を促進する、ＡＲ技術の生成は、困難である。
【００４６】
図２は、ウェアラブルディスプレイシステム６０の実施例を図示する。ディスプレイシステム６０は、ディスプレイ７０と、そのディスプレイ７０の機能をサポートするための種々の機械的および電子モジュールならびにシステムとを含む。ディスプレイ７０は、フレーム８０に結合されてもよく、これは、ディスプレイシステムユーザまたは視認者９０によって装着可能であって、ディスプレイ７０をユーザ９０の眼の正面に位置付けるように構成される。ディスプレイ７０は、いくつかの実施形態では、アイウェアと見なされてもよい。いくつかの実施形態では、スピーカ１００が、フレーム８０に結合され、ユーザ９０の外耳道に隣接して位置付けられるように構成される（いくつかの実施形態では、示されない別のスピーカが、随意に、ユーザの他方の外耳道に隣接して位置付けられ、ステレオ／成形可能音制御を提供してもよい）。ディスプレイシステムはまた、１つまたはそれを上回るマイクロホン１１０または他のデバイスを含み、音を検出してもよい。いくつかの実施形態では、マイクロホンは、ユーザが、入力またはコマンドをシステム６０に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。マイクロホンはさらに、周辺センサとして構成され、オーディオデータ（例えば、ユーザおよび／または環境からの音）を収集してもよい。いくつかの実施形態では、ディスプレイシステムもまた、周辺センサ１２０ａを含んでもよく、これは、フレーム８０と別個であって、ユーザ９０の身体（例えば、ユーザ９０の頭部、胴体、四肢等上）に取り付けられてもよい。周辺センサ１２０ａは、いくつかの実施形態では、ユーザ９０の生理学的状態を特徴付けるデータを取得するように構成されてもよい。例えば、センサ１２０ａは、電極であってもよい。
【００４７】
図２を継続して参照すると、ディスプレイ７０は、有線導線または無線コネクティビティ等の通信リンク１３０によって、ローカルデータ処理モジュール１４０に動作可能に結合され、これは、フレーム８０に固定して取り付けられる、ユーザによって装着されるヘルメットまたは帽子に固定して取り付けられる、ヘッドホン内に埋設される、または別様にユーザ９０に除去可能に取り付けられる（例えば、リュック式構成、ベルト結合式構成において）等、種々の構成で搭載されてもよい。同様に、センサ１２０ａは、通信リンク１２０ｂ、例えば、有線導線または無線コネクティビティによって、ローカルプロセッサおよびデータモジュール１４０に動作可能に結合されてもよい。ローカル処理およびデータモジュール１４０は、ハードウェアプロセッサならびに不揮発性メモリ（例えば、フラッシュメモリまたはハードディスクドライブ）等のデジタルメモリを備えてもよく、両方とも、データの処理、キャッシュ、および記憶を補助するために利用されてもよい。データは、ａ）画像捕捉デバイス（カメラ等）、マイクロホン、慣性測定ユニット、加速度計、コンパス、ＧＰＳユニット、無線デバイス、ジャイロスコープ、および／または本明細書に開示される他のセンサ等のセンサ（例えば、フレーム８０に動作可能に結合される、または別様にユーザ９０に取り付けられ得る）から捕捉された、および／またはｂ）可能性としてそのような処理または読出後にディスプレイ７０への通過のための遠隔処理モジュール１５０および／または遠隔データリポジトリ１６０（仮想コンテンツに関連するデータを含む）を使用して取得および／または処理されたデータを含む。ローカル処理およびデータモジュール１４０は、これらの遠隔モジュール１５０、１６０が相互に動作可能に結合され、ローカル処理およびデータモジュール１４０に対するリソースとして利用可能であるように、有線または無線通信リンクを介して等、通信リンク１７０、１８０によって、遠隔処理モジュール１５０および遠隔データリポジトリ１６０に動作可能に結合されてもよい。いくつかの実施形態では、ローカル処理およびデータモジュール１４０は、画像捕捉デバイス、マイクロホン、慣性測定ユニット、加速度計、コンパス、ＧＰＳユニット、無線デバイス、および／またはジャイロスコープのうちの１つまたはそれを上回るものを含んでもよい。いくつかの他の実施形態では、これらのセンサのうちの１つもしくはそれを上回るものは、フレーム８０に取り付けられてもよい、または有線もしくは無線通信経路によってローカル処理およびデータモジュール１４０と通信する、独立構造であってもよい。
【００４８】
図２を継続して参照すると、いくつかの実施形態では、遠隔処理モジュール１５０は、データおよび／または画像情報を分析ならびに処理するように構成される、１つまたはそれを上回るプロセッサを備えてもよい。いくつかの実施形態では、遠隔データリポジトリ１６０は、インターネットまたは「クラウド」リソース構成における他のネットワーキング構成を通して利用可能であり得る、デジタルデータ記憶設備を備えてもよい。いくつかの実施形態では、遠隔データリポジトリ１６０は、情報、例えば、拡張現実コンテンツを生成するための情報をローカル処理およびデータモジュール１４０および／または遠隔処理モジュール１５０に提供する、１つまたはそれを上回る遠隔サーバを含んでもよい。いくつかの実施形態では、全てのデータが、記憶され、全ての計算は、ローカル処理およびデータモジュール内で行われ、遠隔モジュールからの完全に自律的な使用を可能にする。
【００４９】
ここで図３を参照すると、「３次元」または「３−Ｄ」としての画像の知覚は、視認者の各眼への画像の若干異なる提示を提供することによって達成され得る。図３は、ユーザに関する３次元画像をシミュレートするための従来のディスプレイシステムを図示する。眼２１０、２２０毎に１つの２つの明確に異なる画像１９０、２００が、ユーザに出力される。画像１９０、２００は、視認者の視線と平行な光学軸またはｚ−軸に沿って距離２３０だけ眼２１０、２２０から離間される。画像１９０、２００は、平坦であって、眼２１０、２２０は、単一の遠近調節された状態をとることによって、画像上に合焦し得る。そのような３−Ｄディスプレイシステムは、ヒト視覚系に依拠し、画像１９０、２００を組み合わせ、組み合わせられた画像の深度および／または尺度の知覚を提供する。
【００５０】
しかしながら、ヒト視覚系は、より複雑であって、深度の現実的知覚を提供することは、より困難であることを理解されたい。例えば、従来の「３−Ｄ」ディスプレイシステムの多くの視認者は、そのようなシステムが不快であることを見出す、または深度の感覚を全く知覚しない場合がある。理論によって限定されるわけではないが、オブジェクトの視認者は、輻輳・開散（ｖｅｒｇｅｎｃｅ）運動および遠近調節（ａｃｃｏｍｍｏｄａｔｉｏｎ）の組み合わせに起因して、オブジェクトを「３次元」として知覚し得ると考えられる。相互に対する２つの眼の輻輳・開散運動の移動（すなわち、瞳孔が、眼の視線を収束させ、オブジェクトに固定させるための相互に向かった、またはそこから離れるように移動する、眼の回転）は、眼の水晶体および瞳孔の集束（または「遠近調節」）と密接に関連付けられる。通常条件下では、眼の水晶体の焦点を変化させる、または眼を遠近調節し、１つのオブジェクトから異なる距離における別のオブジェクトに焦点を変化させることは、「遠近調節−輻輳・開散運動反射」ならびに瞳孔拡張または収縮として知られる関係下、同一距離までの輻輳・開散運動における整合的変化を自動的に生じさせるであろう。同様に、輻輳・開散運動における変化は、正常条件下では、水晶体形状および瞳孔サイズの遠近調節における整合的変化を誘起するであろう。本明細書に記載されるように、多くの立体視または「３−Ｄ」ディスプレイシステムは、３次元視点がヒト視覚系によって知覚されるように、各眼への若干異なる提示（したがって、若干異なる画像）を使用して、場面を表示する。しかしながら、そのようなシステムは、とりわけ、単に、場面の異なる提示を提供するが、眼が全画像情報を単一の遠近調節された状態において視認すると、「遠近調節−輻輳・開散運動反射」に対抗して機能するため、多くの視認者にとって不快である。遠近調節と輻輳・開散運動との間のより優れた整合を提供するディスプレイシステムは、３次元画像のより現実的かつ快適なシミュレーションを形成し得る。
【００５１】
図４は、複数の深度平面を使用して３次元画像をシミュレートするためのアプローチの側面を図示する。図４を参照すると、ｚ−軸上の眼２１０、２２０からの種々の距離におけるオブジェクトは、それらのオブジェクトが合焦するように、眼２１０、２２０によって遠近調節される。眼２１０、２２０は、特定の遠近調節された状態をとり、ｚ−軸に沿って異なる距離においてオブジェクトに合焦させる。その結果、特定の遠近調節された状態は、特定の深度平面におけるオブジェクトまたはオブジェクトの一部が、眼がその深度平面のための遠近調節された状態にあるとき合焦するように、関連付けられた焦点距離を有する、深度平面２４０のうちの特定の１つと関連付けられると言え得る。いくつかの実施形態では、３次元画像は、眼２１０、２２０毎に画像の異なる提示を提供することによって、また、深度平面のそれぞれに対応する画像の異なる提示を提供することによってシミュレートされてもよい。例証を明確にするために、別個であるように示されるが、眼２１０、２２０の視野は、例えば、ｚ−軸に沿った距離が増加するにつれて重複し得ることを理解されたい。加えて、例証を容易にするために、平坦として示されるが、深度平面の輪郭は、深度平面内の全ての特徴が特定の遠近調節された状態における眼と合焦するように、物理的空間内で湾曲され得ることを理解されたい。
【００５２】
オブジェクトと眼２１０または２２０との間の距離はまた、その眼によって視認されるようなそのオブジェクトからの光の発散の量を変化させ得る。図５Ａ−５Ｃは、距離と光線の発散との間の関係を図示する。オブジェクトと眼２１０との間の距離は、減少距離Ｒ１、Ｒ２、およびＲ３の順序で表される。図５Ａ−５Ｃに示されるように、光線は、オブジェクトまでの距離が減少するにつれてより発散する。距離が増加するにつれて、光線は、よりコリメートされる。換言すると、点（オブジェクトまたはオブジェクトの一部）によって生成される光場は、点がユーザの眼から離れている距離の関数である、球状波面曲率を有すると言え得る。曲率は、オブジェクトと眼２１０との間の距離の減少に伴って増加する。その結果、異なる深度平面では、光線の発散度もまた、異なり、発散度は、深度平面と視認者の眼２１０との間の距離の減少に伴って増加する。単眼２１０のみが、例証を明確にするために、図５Ａ−５Ｃおよび本明細書の他の図に図示されるが、眼２１０に関する議論は、視認者の両眼２１０および２２０に適用され得ることを理解されたい。
【００５３】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。異なる提示は、視認者の眼によって別個に集束され、それによって、異なる深度平面上に位置する場面のための異なる画像特徴に合焦させるために要求される眼の遠近調節に基づいて、および／または焦点がずれている異なる深度平面上の異なる画像特徴の観察に基づいて、ユーザに深度合図を提供することに役立ててもよい。
【００５４】
図６は、画像情報をユーザに出力するための導波管スタックの実施例を図示する。ディスプレイシステム２５０は、複数の導波管２７０、２８０、２９０、３００、３１０を使用して３次元知覚を眼／脳に提供するために利用され得る、導波管のスタックまたはスタックされた導波管アセンブリ２６０を含む。いくつかの実施形態では、ディスプレイシステム２５０は、図２のシステム６０であって、図６は、そのシステム６０のいくつかの部分をより詳細に図式的に示す。例えば、導波管アセンブリ２６０は、図２のディスプレイ７０の一部であってもよい。ディスプレイシステム２５０は、いくつかの実施形態では、ライトフィールドディスプレイと見なされてもよいことを理解されたい。加えて、導波管アセンブリ２６０はまた、接眼レンズとも称され得る。
【００５５】
図６を継続して参照すると、導波管アセンブリ２６０はまた、複数の特徴３２０、３３０、３４０、３５０を導波管間に含んでもよい。いくつかの実施形態では、特徴３２０、３３０、３４０、３５０は、１つまたはそれを上回るレンズであってもよい。導波管２７０、２８０、２９０、３００、３１０および／または複数のレンズ３２０、３３０、３４０、３５０は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス３６０、３７０、３８０、３９０、４００は、導波管のための光源として機能してもよく、画像情報を導波管２７０、２８０、２９０、３００、３１０の中に投入するために利用されてもよく、それぞれ、本明細書に説明されるように、眼２１０に向かって出力のために各個別の導波管を横断して入射光を分散させるように構成されてもよい。光は、画像投入デバイス３６０、３７０、３８０、３９０、４００の出力表面４１０、４２０、４３０、４４０、４５０から出射し、導波管２７０、２８０、２９０、３００、３１０の対応する入力表面４６０、４７０、４８０、４９０、５００の中に投入される。いくつかの実施形態では、入力表面４６０、４７０、４８０、４９０、５００はそれぞれ、対応する導波管の縁であってもよい、または対応する導波管の主要表面の一部（すなわち、世界５１０または視認者の眼２１０に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼２１０に向かって指向される。いくつかの実施形態では、画像投入デバイス３６０、３７０、３８０、３９０、４００のうちの単一の１つは、複数（例えば、３つ）の導波管２７０、２８０、２９０、３００、３１０と関連付けられ、その中に光を投入してもよい。
【００５６】
いくつかの実施形態では、画像投入デバイス３６０、３７０、３８０、３９０、４００はそれぞれ、それぞれ対応する導波管２７０、２８０、２９０、３００、３１０の中への投入のために画像情報を生成する、離散ディスプレイである。いくつかの他の実施形態では、画像投入デバイス３６０、３７０、３８０、３９０、４００は、例えば、画像情報を１つまたはそれを上回る光学導管（光ファイバケーブル等）を介して画像投入デバイス３６０、３７０、３８０、３９０、４００のそれぞれに送り得る、単一の多重化されたディスプレイの出力端である。画像投入デバイス３６０、３７０、３８０、３９０、４００によって提供される画像情報は、異なる波長または色（例えば、本明細書に議論されるように、異なる原色）の光を含んでもよいことを理解されたい。
【００５７】
いくつかの実施形態では、導波管２７０、２８０、２９０、３００、３１０の中に投入される光は、光プロジェクタシステム５２０によって提供され、これは、光モジュール５４０を備え、これは、発光ダイオード（ＬＥＤ）等の光エミッタを含んでもよい。光モジュール５４０からの光は、ビームスプリッタ５５０を介して、光変調器５３０、例えば、空間光変調器によって指向および修正されてもよい。光変調器５３０は、導波管２７０、２８０、２９０、３００、３１０の中に投入される光の知覚される強度を変化させるように構成されてもよい。空間光変調器の実施例は、シリコン上液晶（ＬＣＯＳ）ディスプレイを含む、液晶ディスプレイ（ＬＣＤ）を含む。画像投入デバイス３６０、３７０、３８０、３９０、４００は、図式的に図示され、いくつかの実施形態では、これらの画像投入デバイスは、光を導波管２７０、２８０、２９０、３００、３１０の関連付けられたものの中に出力するように構成される、共通投影システム内の異なる光経路および場所を表し得ることを理解されたい。
【００５８】
いくつかの実施形態では、ディスプレイシステム２５０は、光を種々のパターン（例えば、ラスタ走査、螺旋走査、リサジューパターン等）で１つまたはそれを上回る導波管２７０、２８０、２９０、３００、３１０の中に、最終的には、視認者の眼２１０に投影するように構成される、１つまたはそれを上回る走査ファイバを備える、走査ファイバディスプレイであってもよい。いくつかの実施形態では、図示される画像投入デバイス３６０、３７０、３８０、３９０、４００は、光を１つまたは複数の導波管２７０、２８０、２９０、３００、３１０の中に投入するように構成される、単一走査ファイバまたは走査ファイバの束を図式的に表し得る。いくつかの他の実施形態では、図示される画像投入デバイス３６０、３７０、３８０、３９０、４００は、複数の走査ファイバまたは走査ファイバの複数の束を図式的に表し得、それぞれ、光を導波管２７０、２８０、２９０、３００、３１０のうちの関連付けられた１つの中に投入するように構成される。１つまたはそれを上回る光ファイバは、光を光モジュール５４０から１つまたはそれを上回る導波管２７０、２８０、２９０、３００、３１０に伝送するように構成されてもよいことを理解されたい。１つまたはそれを上回る介在光学構造が、走査ファイバまたは複数のファイバと、１つまたはそれを上回る導波管２７０、２８０、２９０、３００、３１０との間に提供され、例えば、走査ファイバから出射する光を１つまたはそれを上回る導波管２７０、２８０、２９０、３００、３１０の中に再指向してもよいことを理解されたい。
【００５９】
コントローラ５６０は、画像投入デバイス３６０、３７０、３８０、３９０、４００、光源５４０、および光モジュール５３０の動作を含む、スタックされた導波管アセンブリ２６０のうちの１つまたはそれを上回るものの動作を制御する。いくつかの実施形態では、コントローラ５６０は、ローカルデータ処理モジュール１４０の一部である。コントローラ５６０は、例えば、本明細書に開示される種々のスキームのいずれかに従って、導波管２７０、２８０、２９０、３００、３１０への画像情報のタイミングおよびプロビジョニングを調整する、プログラミング（例えば、非一過性媒体内の命令）を含む。いくつかの実施形態では、コントローラは、単一の一体型デバイスまたは有線もしくは無線通信チャネルによって接続される分散型システムであってもよい。コントローラ５６０は、いくつかの実施形態では、処理モジュール１４０または１５０（図２）の一部であってもよい。
【００６０】
図６を継続して参照すると、導波管２７０、２８０、２９０、３００、３１０は、全内部反射（ＴＩＲ）によって、光を各個別の導波管内で伝搬させるように構成されてもよい。導波管２７０、２８０、２９０、３００、３１０はそれぞれ、主要な上部および底部表面ならびにそれらの主要な上部表面と底部表面との間に延在する縁を伴う、平面である、または別の形状（例えば、湾曲）を有してもよい。図示される構成では、導波管２７０、２８０、２９０、３００、３１０はそれぞれ、光を再指向させ、各個別の導波管内で伝搬させ、導波管から、画像情報を眼２１０に出力することによって、光を導波管から抽出するように構成される、外部結合光学要素５７０、５８０、５９０、６００、６１０を含んでもよい。抽出された光はまた、外部結合光と称され得、光を外部結合する光学要素はまた、光抽出光学要素と称され得る。抽出された光のビームは、導波管によって、導波管内で伝搬する光が光抽出光学要素に衝打する場所において出力され得る。外部結合光学要素５７０、５８０、５９０、６００、６１０は、例えば、本明細書にさらに議論されるような回折光学特徴を含む、格子であってもよい。説明を容易にし、図面を明確にするために、導波管２７０、２８０、２９０、３００、３１０の底部主要表面に配置されて図示されるが、いくつかの実施形態では、外部結合光学要素５７０、５８０、５９０、６００、６１０は、本明細書にさらに議論されるように、上部および／または底部主要表面に配置されてもよい、ならびに／もしくは導波管２７０、２８０、２９０、３００、３１０の体積内に直接配置されてもよい。いくつかの実施形態では、外部結合光学要素５７０、５８０、５９０、６００、６１０は、透明基板に取り付けられ、導波管２７０、２８０、２９０、３００、３１０を形成する、材料の層内に形成されてもよい。いくつかの他の実施形態では、導波管２７０、２８０、２９０、３００、３１０は、モノリシック材料片であってもよく、外部結合光学要素５７０、５８０、５９０、６００、６１０は、その材料片の表面上および／または内部に形成されてもよい。
【００６１】
図６を継続して参照すると、本明細書に議論されるように、各導波管２７０、２８０、２９０、３００、３１０は、光を出力し、特定の深度平面に対応する画像を形成するように構成される。例えば、眼の最近傍の導波管２７０は、眼２１０にコリメートされた光（そのような導波管２７０の中に投入された）を送達するように構成されてもよい。コリメートされた光は、光学無限遠焦点面を表し得る。次の上方の導波管２８０は、眼２１０に到達し得る前に、第１のレンズ３５０（例えば、負のレンズ）を通して通過する、コリメートされた光を送出するように構成されてもよい。そのような第１のレンズ３５０は、眼／脳が、その次の上方の導波管２８０から生じる光を光学無限遠から眼２１０に向かって内向きにより近い第１の焦点面から生じるように解釈するように、若干の凸面波面曲率を生成するように構成されてもよい。同様に、第３の上方の導波管２９０は、眼２１０に到達する前に、その出力光を第１のレンズ３５０および第２のレンズ３４０の両方を通して通過させる。第１のレンズ３５０および第２のレンズ３４０の組み合わせられた屈折力は、眼／脳が、第３の導波管２９０から生じる光が次の上方の導波管２８０からの光であったよりも光学無限遠から人物に向かって内向きにさらに近い第２の焦点面から生じるように解釈するように、波面曲率の別の漸増量を生成するように構成されてもよい。
【００６２】
他の導波管層３００、３１０およびレンズ３３０、３２０も同様に、スタック内の最高導波管３１０は、人物に最も近い焦点面を表す集約焦点力のために、その出力をそれと眼との間のレンズの全てを通して送出するように構成される。スタックされた導波管アセンブリ２６０の他側の世界５１０から生じる光を視認／解釈するとき、レンズ３２０、３３０、３４０、３５０のスタックを補償するために、補償レンズ層６２０が、スタックの上部に配置され、下方のレンズスタック３２０、３３０、３４０、３５０の集約力を補償してもよい。そのような構成は、利用可能な導波管／レンズ対と同じ数の知覚される焦点面を提供する。導波管の外部結合光学要素およびレンズの集束側面の両方とも、静的であってもよい（すなわち、動的または電気活性ではない）。いくつかの代替実施形態では、いずれかまたは両方とも、電気活性特徴を使用して動的であってもよい。
【００６３】
いくつかの実施形態では、導波管２７０、２８０、２９０、３００、３１０のうちの２つまたはそれを上回るものは、同一の関連付けられた深度平面を有してもよい。例えば、複数の導波管２７０、２８０、２９０、３００、３１０が、同一深度平面に設定される画像を出力するように構成されてもよい、または導波管２７０、２８０、２９０、３００、３１０の複数のサブセットが、深度平面毎に１つのセットを伴う、同一の複数の深度平面に設定される画像を出力するように構成されてもよい。これは、それらの深度平面において拡張された視野を提供するようにタイリングされた画像を形成する利点を提供し得る。
【００６４】
図６を継続して参照すると、外部結合光学要素５７０、５８０、５９０、６００、６１０は、導波管と関連付けられた特定の深度平面のために、光をその個別の導波管から再指向させることと、本光を適切な量の発散またはコリメーションを伴って出力することとの両方を行うように構成されてもよい。その結果、異なる関連付けられた深度平面を有する導波管は、外部結合光学要素５７０、５８０、５９０、６００、６１０の異なる構成を有してもよく、これは、関連付けられた深度平面に応じた、異なる発散量を用いて光を出力する。いくつかの実施形態では、光抽出光学要素５７０、５８０、５９０、６００、６１０は、体積または表面特徴であってもよく、これは、具体的角度において光を出力するように構成されてもよい。例えば、光抽出光学要素５７０、５８０、５９０、６００、６１０は、体積ホログラム、表面ホログラム、および／または回折格子であってもよい。いくつかの実施形態では、特徴３２０、３３０、３４０、３５０は、レンズではなくてもよい。むしろ、それらは、単に、スペーサ（例えば、クラッディング層および／または空隙を形成するための構造）であってもよい。
【００６５】
いくつかの実施形態では、外部結合光学要素５７０、５８０、５９０、６００、６１０は、回折パターンまたは「回折光学要素」（また、本明細書では、「ＤＯＥ」とも称される）を形成する、回折特徴である。好ましくは、ＤＯＥは、ビームの光の一部のみがＤＯＥの各交差点を用いて眼２１０に向かって偏向される一方、残りがＴＩＲを介して導波管を通して移動し続けるように、十分に低い回折効率を有する。画像情報を搬送する光は、したがって、様々な場所において導波管から出射するいくつかの関連出射ビームに分割され、その結果、導波管内でバウンスする本特定のコリメートされたビームに関して、眼２１０に向かって非常に均一パターンの出射放出となる。
【００６６】
いくつかの実施形態では、１つまたはそれを上回るＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられてもよい（その場合、パターンは、入射光を著しく回折させない）、または微小液滴は、ホスト媒体のものに整合しない屈折率に切り替えられてもよい（その場合、パターンは、入射光を能動的に回折させる）。
【００６７】
いくつかの実施形態では、カメラアセンブリ６３０（例えば、可視光および赤外線光カメラを含む、デジタルカメラ）が、眼２１０および／または眼２１０の周囲の組織の画像を捕捉し、例えば、ユーザ入力を検出する、および／またはユーザの生理学的状態を監視するために提供されてもよい。本明細書で使用されるように、カメラは、任意の画像捕捉デバイスであってもよい。いくつかの実施形態では、カメラアセンブリ６３０は、画像捕捉デバイスと、光（例えば、赤外線光）を眼に投影する光源とを含んでもよく、その光は、次いで、眼によって反射され、画像捕捉デバイスによって検出され得る。いくつかの実施形態では、カメラアセンブリ６３０は、フレーム８０（図２）に取り付けられてもよく、カメラアセンブリ６３０からの画像情報を処理し得る、処理モジュール１４０および／または１５０と電気通信してもよい。いくつかの実施形態では、１つのカメラアセンブリ６３０が、眼毎に利用され、各眼を別個に監視してもよい。
【００６８】
ここで図７を参照すると、導波管によって出力された出射ビームの実施例が、示される。１つの導波管が図示されるが、導波管アセンブリ２６０（図６）内の他の導波管も同様に機能し得、導波管アセンブリ２６０は、複数の導波管を含むことを理解されたい。光６４０が、導波管２７０の入力表面４６０において導波管２７０の中に投入され、ＴＩＲによって導波管２７０内を伝搬する。光６４０がＤＯＥ５７０上に衝突する点では、光の一部は、導波管から出射ビーム６５０として出射する。出射ビーム６５０は、略平行として図示されるが、本明細書に議論されるように、また、導波管２７０と関連付けられた深度平面に応じて、ある角度（例えば、発散出射ビームを形成する）において眼２１０に伝搬するように再指向されてもよい。略平行出射ビームは、眼２１０からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼２１０がより近い距離に遠近調節し、網膜に合焦させることを要求し、光学無限遠より眼２１０に近い距離からの光として脳によって解釈されるであろう。
【００６９】
いくつかの実施形態では、フルカラー画像が、原色、例えば、３つまたはそれを上回る原色のそれぞれに画像をオーバーレイすることによって、各深度平面において形成されてもよい。図８は、スタックされた導波管アセンブリの実施例を図示し、各深度平面は、複数の異なる原色を使用して形成される画像を含む。図示される実施形態は、深度平面２４０ａ−２４０ｆを示すが、より多いまたはより少ない深度もまた、検討される。各深度平面は、第１の色Ｇの第１の画像、第２の色Ｒの第２の画像、および第３の色Ｂの第３の画像を含む、それと関連付けられた３つまたはそれを上回る原色画像を有してもよい。異なる深度平面は、文字Ｇ、Ｒ、およびＢに続くジオプタ（ｄｐｔ）に関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色に関する深度平面の正確な場所は、変動してもよい。例えば、所与の深度平面に関する異なる原色画像は、ユーザからの異なる距離に対応する深度平面上に設置されてもよい。そのような配列は、視力およびユーザ快適性を増加させ得、および／または色収差を減少させ得る。
【００７０】
いくつかの実施形態では、各原色の光は、単一専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【００７１】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の波長と関連付けられた他の色も、加えて使用されてもよい、または赤色、緑色、もしくは青色のうちの１つまたはそれを上回るものに取って代わってもよい。
【００７２】
本開示全体を通した所与の光の色の言及は、その所与の色として視認者によって知覚される、光の波長の範囲内の１つまたはそれを上回る波長の光を包含するものと理解されると理解されたい。例えば、赤色光は、約６２０〜７８０ｎｍの範囲内である１つまたはそれを上回る波長の光を含んでもよく、緑色光は、約４９２〜５７７ｎｍの範囲内である１つまたはそれを上回る波長の光を含んでもよく、青色光は、約４３５〜４９３ｎｍの範囲内である１つまたはそれを上回る波長の光を含んでもよい。
【００７３】
いくつかの実施形態では、光源５４０（図６）は、視認者の視覚的知覚範囲外の１つまたはそれを上回る波長、例えば、赤外線および／または紫外線波長の光を放出するように構成されてもよい。加えて、ディスプレイ２５０の導波管の内部結合、外部結合、および他の光再指向構造は、例えば、イメージングおよび／またはユーザ刺激用途のために、本光をディスプレイからユーザの眼２１０に向かって指向および放出するように構成されてもよい。
【００７４】
ここで図９Ａを参照すると、いくつかの実施形態では、導波管に衝突する光は、その光を導波管の中に内部結合するために再指向される必要があり得る。内部結合光学要素が、光をその対応する導波管の中に再指向および内部結合するために使用されてもよい。図９Ａは、それぞれが内部結合光学要素を含む、複数またはセット６６０のスタックされた導波管の実施例の断面側面図を図示する。導波管はそれぞれ、１つもしくはそれを上回る異なる波長または１つもしくはそれを上回る異なる波長範囲の光を出力するように構成されてもよい。スタック６６０は、スタック２６０（図６）に対応してもよく、スタック６６０の図示される導波管は、複数の導波管２７０、２８０、２９０、３００、３１０の一部に対応してもよいが、画像投入デバイス３６０、３７０、３８０、３９０、４００のうちの１つまたはそれを上回るものからの光が、光が内部結合のために再指向されることを要求する位置から導波管の中に投入されることを理解されたい。
【００７５】
スタックされた導波管の図示されるセット６６０は、導波管６７０、６８０、および６９０を含む。各導波管は、関連付けられた内部結合光学要素（導波管上の光入力面積とも称され得る）を含み、例えば、内部結合光学要素７００は、導波管６７０の主要表面（例えば、上側主要表面）上に配置され、内部結合光学要素７１０は、導波管６８０の主要表面（例えば、上側主要表面）上に配置され、内部結合光学要素７２０は、導波管６９０の主要表面（例えば、上側主要表面）上に配置される。いくつかの実施形態では、内部結合光学要素７００、７１０、７２０のうちの１つまたはそれを上回るものは、個別の導波管６７０、６８０、６９０の底部主要表面上に配置されてもよい（特に、１つまたはそれを上回る内部結合光学要素は、反射性偏向光学要素である）。図示されるように、内部結合光学要素７００、７１０、７２０は、その個別の導波管６７０、６８０、６９０の上側主要表面（または次の下側導波管の上部）上に配置されてもよく、特に、それらの内部結合光学要素は、透過性偏向光学要素である。いくつかの実施形態では、内部結合光学要素７００、７１０、７２０は、個別の導波管６７０、６８０、６９０の本体内に配置されてもよい。いくつかの実施形態では、本明細書に議論されるように、内部結合光学要素７００、７１０、７２０は、他の光の波長を透過しながら、１つまたはそれを上回る光の波長を選択的に再指向するような波長選択的である。その個別の導波管６７０、６８０、６９０の片側または角に図示されるが、内部結合光学要素７００、７１０、７２０は、いくつかの実施形態では、その個別の導波管６７０、６８０、６９０の他の面積内に配置されてもよいことを理解されたい。
【００７６】
図示されるように、内部結合光学要素７００、７１０、７２０は、相互から側方にオフセットされてもよい。いくつかの実施形態では、各内部結合光学要素は、その光が別の内部結合光学要素を通して通過せずに、光を受信するようにオフセットされてもよい。例えば、各内部結合光学要素７００、７１０、７２０は、図６に示されるように、光を異なる画像投入デバイス３６０、３７０、３８０、３９０、および４００から受信するように構成されてもよく、光を内部結合光学要素７００、７１０、７２０の他のものから実質的に受信しないように、他の内部結合光学要素７００、７１０、７２０から分離されてもよい（例えば、側方に離間される）。
【００７７】
各導波管はまた、関連付けられた光分散要素を含み、例えば、光分散要素７３０は、導波管６７０の主要表面（例えば、上部主要表面）上に配置され、光分散要素７４０は、導波管６８０の主要表面（例えば、上部主要表面）上に配置され、光分散要素７５０は、導波管６９０の主要表面（例えば、上部主要表面）上に配置される。いくつかの他の実施形態では、光分散要素７３０、７４０、７５０は、それぞれ、関連付けられた導波管６７０、６８０、６９０の底部主要表面上に配置されてもよい。いくつかの他の実施形態では、光分散要素７３０、７４０、７５０は、それぞれ、関連付けられた導波管６７０、６８０、６９０の上部および底部両方の主要表面上に配置されてもよい、または光分散要素７３０、７４０、７５０は、それぞれ、異なる関連付けられた導波管６７０、６８０、６９０内の上部および底部主要表面の異なるもの上に配置されてもよい。
【００７８】
導波管６７０、６８０、６９０は、例えば、材料のガス、液体、および／または固体層によって離間ならびに分離されてもよい。例えば、図示されるように、層７６０ａは、導波管６７０および６８０を分離してもよく、層７６０ｂは、導波管６８０および６９０を分離してもよい。いくつかの実施形態では、層７６０ａおよび７６０ｂは、低屈折率材料（すなわち、導波管６７０、６８０、６９０の直近のものを形成する材料より低い屈折率を有する材料）から形成される。好ましくは、層７６０ａ、７６０ｂを形成する材料の屈折率は、導波管６７０、６８０、６９０を形成する材料の屈折率を０．０５もしくはそれを上回るかまたは０．１０もしくはそれを下回る。有利には、より低い屈折率層７６０ａ、７６０ｂは、導波管６７０、６８０、６９０を通して光の全内部反射（ＴＩＲ）（例えば、各導波管の上部および底部主要表面間のＴＩＲ）を促進する、クラッディング層として機能してもよい。いくつかの実施形態では、層７６０ａ、７６０ｂは、空気から形成される。図示されないが、導波管の図示されるセット６６０の上部および底部は、直近クラッディング層を含んでもよいことを理解されたい。
【００７９】
好ましくは、製造および他の考慮点を容易にするために、導波管６７０、６８０、６９０を形成する材料は、類似または同一であって、層７６０ａ、７６０ｂを形成する材料は、類似または同一である。いくつかの実施形態では、導波管６７０、６８０、６９０を形成する材料は、１つまたはそれを上回る導波管間で異なってもよい、および／または層７６０ａ、７６０ｂを形成する材料は、依然として、前述の種々の屈折率関係を保持しながら、異なってもよい。
【００８０】
図９Ａを継続して参照すると、光線７７０、７８０、７９０が、導波管のセット６６０に入射する。光線７７０、７８０、７９０は、１つまたはそれを上回る画像投入デバイス３６０、３７０、３８０、３９０、４００（図６）によって導波管６７０、６８０、６９０の中に投入されてもよいことを理解されたい。
【００８１】
いくつかの実施形態では、光線７７０、７８０、７９０は、異なる色に対応し得る、異なる性質、例えば、異なる波長または異なる波長範囲を有する。内部結合光学要素７００、７１０、７２０はそれぞれ、光が、ＴＩＲによって、導波管６７０、６８０、６９０のうちの個別の１つを通して伝搬するように、入射光を偏向させる。いくつかの実施形態では、内部結合光学要素７００、７１０、７２０はそれぞれ、他の波長を下層導波管および関連付けられた内部結合光学要素に透過させながら、１つまたはそれを上回る特定の光の波長を選択的に偏向させる。
【００８２】
例えば、内部結合光学要素７００は、それぞれ、異なる第２および第３の波長または波長範囲を有する、光線７８０および７９０を透過させながら、第１の波長または波長範囲を有する、光線７７０を選択的に偏向させるように構成されてもよい。透過された光線７８０は、第２の波長または波長範囲の光を偏向させるように構成される、内部結合光学要素７１０に衝突し、それによって偏向される。光線７９０は、第３の波長または波長範囲の光を選択的に偏向させるように構成される、内部結合光学要素７２０によって偏向される。
【００８３】
図９Ａを継続して参照すると、偏向された光線７７０、７８０、７９０は、対応する導波管６７０、６８０、６９０を通して伝搬するように偏向される。すなわち、各導波管の内部結合光学要素７００、７１０、７２０は、光をその対応する導波管６７０、６８０、６９０の中に偏向させ、光を対応する導波管の中に内部結合する。光線７７０、７８０、７９０は、光をＴＩＲによって個別の導波管６７０、６８０、６９０を通して伝搬させる角度で偏向される。光線７７０、７８０、７９０は、導波管の対応する光分散要素７３０、７４０、７５０に衝突するまで、ＴＩＲによって個別の導波管６７０、６８０、６９０を通して伝搬する。
【００８４】
ここで図９Ｂを参照すると、図９Ａの複数のスタックされた導波管の実施例の斜視図が、図示される。前述のように、内部結合された光線７７０、７８０、７９０は、それぞれ、内部結合光学要素７００、７１０、７２０によって偏向され、次いで、それぞれ、導波管６７０、６８０、６９０内でＴＩＲによって伝搬する。光線７７０、７８０、７９０は、次いで、それぞれ、光分散要素７３０、７４０、７５０に衝突する。光分散要素７３０、７４０、７５０は、それぞれ、外部結合光学要素８００、８１０、８２０に向かって伝搬するように、光線７７０、７８０、７９０を偏向させる。
【００８５】
いくつかの実施形態では、光分散要素７３０、７４０、７５０は、直交瞳エクスパンダ（ＯＰＥ）である。いくつかの実施形態では、ＯＰＥは、光を外部結合光学要素８００、８１０、８２０に偏向または分散し、いくつかの実施形態では、また、外部結合光学要素に伝搬するにつれて、本光のビームまたはスポットサイズを増加させてもよい。いくつかの実施形態では、光分散要素７３０、７４０、７５０は、省略されてもよく、内部結合光学要素７００、７１０、７２０は、光を直接外部結合光学要素８００、８１０、８２０に偏向させるように構成されてもよい。例えば、図９Ａを参照すると、光分散要素７３０、７４０、７５０は、それぞれ、外部結合光学要素８００、８１０、８２０と置換されてもよい。いくつかの実施形態では、外部結合光学要素８００、８１０、８２０は、光を視認者の眼２１０（図７）に指向させる、射出瞳（ＥＰ）または射出瞳エクスパンダ（ＥＰＥ）である。ＯＰＥは、少なくとも１つの軸においてアイボックスの寸法を増加させるように構成されてもよく、ＥＰＥは、ＯＰＥの軸と交差する、例えば、直交する軸においてアイボックスを増加させてもよいことを理解されたい。例えば、各ＯＰＥは、光の残りの部分が導波管を辿って伝搬し続けることを可能にしながら、ＯＰＥに衝打する光の一部を同一導波管のＥＰＥに再指向するように構成されてもよい。ＯＰＥへの衝突に応じて、再び、残りの光の別の部分は、ＥＰＥに再指向され、その部分の残りの部分は、導波管等を辿ってさらに伝搬し続ける。同様に、ＥＰＥへの衝打に応じて、衝突光の一部は、導波管からユーザに向かって指向され、その光の残りの部分は、ＥＰに再び衝打するまで、導波管を通して伝搬し続け、その時点で、衝突する光の別の部分は、導波管から指向される等となる。その結果、内部結合された光の単一ビームは、その光の一部がＯＰＥまたはＥＰＥによって再指向される度に、「複製」され、それによって、図６に示されるように、クローン化された光のビーム野を形成し得る。いくつかの実施形態では、ＯＰＥおよび／またはＥＰＥは、光のビームのサイズを修正するように構成されてもよい。
【００８６】
故に、図９Ａおよび９Ｂを参照すると、いくつかの実施形態では、導波管のセット６６０は、原色毎に、導波管６７０、６８０、６９０と、内部結合光学要素７００、７１０、７２０と、光分散要素（例えば、ＯＰＥ）７３０、７４０、７５０と、外部結合光学要素（例えば、ＥＰ）８００、８１０、８２０とを含む。導波管６７０、６８０、６９０は、各１つの間に空隙／クラッディング層を伴ってスタックされてもよい。内部結合光学要素７００、７１０、７２０は、（異なる波長の光を受信する異なる内部結合光学要素を用いて）入射光をその導波管の中に再指向または偏向させる。光は、次いで、個別の導波管６７０、６８０、６９０内にＴＩＲをもたらすであろう角度で伝搬する。示される実施例では、光線７７０（例えば、青色光）は、前述の様式において、第１の内部結合光学要素７００によって偏光され、次いで、導波管を辿ってバウンスし続け、光分散要素（例えば、ＯＰＥ）７３０、次いで、外部結合光学要素（例えば、ＥＰ）８００と相互作用する。光線７８０および７９０（例えば、それぞれ、緑色および赤色光）は、導波管６７０を通して通過し、光線７８０は、内部結合光学要素７１０上に入射し、それによって偏向される。光線７８０は、次いで、ＴＩＲを介して、導波管６８０を辿ってバウンスし、その光分散要素（例えば、ＯＰＥ）７４０、次いで、外部結合光学要素（例えば、ＥＰ）８１０に進むであろう。最後に、光線７９０（例えば、赤色光）は、導波管６９０を通して通過し、導波管６９０の内部結合光学要素７２０に衝突する。光内部結合光学要素７２０は、光線が、ＴＩＲによって、光分散要素（例えば、ＯＰＥ）７５０、次いで、ＴＩＲによって、外部結合光学要素（例えば、ＥＰ）８２０に伝搬するように、光線７９０を偏向させる。外部結合光学要素８２０は、次いで、最後に、光線７９０を視認者に外部結合し、視認者はまた、他の導波管６７０、６８０からの光も受信する。
【００８７】
図９Ｃは、図９Ａおよび９Ｂの複数のスタックされた導波管の実施例の上下平面図を図示する。図示されるように、導波管６７０、６８０、６９０は、各導波管の関連付けられた光分散要素７３０、７４０、７５０および関連付けられた外部結合光学要素８００、８１０、８２０とともに、垂直に整合されてもよい。しかしながら、本明細書に議論されるように、内部結合光学要素７００、７１０、７２０は、垂直に整合されない。むしろ、内部結合光学要素は、好ましくは、非重複する（例えば、上下図に見られるように、側方に離間される）。本明細書でさらに議論されるように、本非重複空間配列は、１対１ベースで異なるリソースから異なる導波管の中への光の投入を促進し、それによって、具体的光源が具体的導波管に一意に結合されることを可能にする。いくつかの実施形態では、非重複の空間的に分離される内部結合光学要素を含む、配列は、偏移瞳システムと称され得、これらの配列内の内部結合光学要素は、サブ瞳に対応し得る。
【００８８】
いくつかの実施形態では、光エミッタからの光は、反射体およびレンズを使用して成形される。図１０は、複合放物面型集光器（ＣＰＣ）のプロファイルを有する、反射体２０００の実施例を図示する。反射体２０００は、光入力開口部２００２と、光出力開口部２００４とを有し、両方とも、円形であってもよい。光入力開口部は、光（例えば、光線２０１０、２０２０、２０３０）を光エミッタ（図示せず）から受信してもよい。光は、反射体の壁２０４０から反射し、光出力開口部２００４を通して反射体２０００から出射する。着目すべきこととして、出力された光線２０１０、２０２０、２０３０は、高度な角度均一性を有し、相互に略平行に反射体から出射し得る。したがって、縁光線は、ＣＰＣによってコリメートされる。しかしながら、出力された光の空間均一性は、不良である。望ましくなく、反射体２０１０から出射する光は、リングの形状におけるホットスポットを形成し得る。
【００８９】
図１１−１２を参照すると、レンズ（例えば、フーリエ変換レンズ）が、反射体の角度が均一な光出力を空間的に均一な光出力に変換するために利用されてもよい。図１１は、反射体２１１０と、レンズ２１２０とを有する、光学システム２１００の実施例を図示する。反射体２１１０は、光入力開口部２１０２と、光出力開口部２１０４とを有し、光入力開口部２１０２から光出力開口部２１０４に延在する、内部側壁２１１２ａ、２１１２ｂを伴う。内部側壁２１１２ａ、２１１２ｂは、湾曲され、角度が均一な光出力をレンズ２１２０に提供する。いくつかの実施形態では、側壁２１１２ａ、２１１２ｂは、ＣＰＣプロファイルを有する。すなわち、内部側壁２１１２ａ、２１１２ｂの曲率は、複合放物面型集光器のものに追従する。いくつかの実施形態では、内部側壁２１１２ａ、２１１２ｂは、楕円形、双曲線、または双円錐形状の輪郭に追従し得ることを理解されたい。いくつかの他の実施形態では、内部側壁２１１２ａ、２１１２ｂは、実質的に線形であってもよく、これは、レンズ２１０２０が非常に空間的に均一な光を出力するために十分に角度が均一な光出力を提供することが見出されている。側壁２１１２ａ、２１１２ｂは、図示される断面では別個として示されるが、実際の３次元反射体では、２１１２ａおよび２１１２ｂは、単に、連続表面の対向側であることを理解されたい。好ましくは、側壁２１１２ａ、２１１２ｂは、鏡面反射体である。いくつかの実施形態では、側壁２１１２ａ、２１１２ｂは、反射材料から形成されてもよい、および／または反射材料で裏打ちされてもよい。
【００９０】
図１２は、光を反射体２１１０の中に放出するように位置付けられる光エミッタ２１４０を有する、光学システム２１００の実施例を図示する。いくつかの実施形態では、光エミッタ２１４０は、光入力開口部の外側にある。いくつかの他の実施形態では、光エミッタ２１４０は、反射体２１１０の内部体積の内側に位置付けられる。いくつかの実施形態では、光エミッタ２１４０は、ランバート放射パターンを有する。光エミッタ２１４０は、例えば、電気エネルギーを光に変換する、例えば、発光ダイオード（ＬＥＤ）、白熱電球、蛍光灯電球、または他のデバイスであってもよい。
【００９１】
図１１および１２を継続して参照すると、レンズ２１２０は、光出力開口部２１０４に近接する。いくつかの実施形態では、レンズ２１２０は、光出力開口部２１０４の前方またはそこに直接位置する。いくつかの他の実施形態では、レンズ２１２０は、反射体２１１０の内側に位置してもよい。好ましくは、レンズ２１２０から光エミッタ２１４０までの距離は、レンズの焦点距離と実質的に等しい。加えて、レンズから光変調器（図示せず）までの距離もまた、好ましくは、レンズの焦点距離と実質的に等しい。
【００９２】
レンズ２１２０の例証は、概略であることを理解されたい。また、レンズ２１２０は、反射体２１１０の角度が均一な光出力を空間的に均一な光出力に変換するように構成される、光学透過性構造であることを理解されたい。例えば、図示されるように、光エミッタ２１４０によって放出される光線２１３０は、それらが実質的に同一方向に伝搬するように、側壁２１１２ａ、２１１２ｂから反射される。レンズ２１２０は、次いで、本角度が均一な出力をレンズ２１２０から離れるように伝搬する空間的に均一な光２１３０に変換する。レンズは、いくつかの実施形態では、単一レンズであってもよい。いくつかの他の実施形態では、レンズ２１２０は、二重レンズまたはレンズ系等の複合レンズであってもよい。好ましくは、レンズ２１２０は、光出力開口部２１０４の面積の実質的に全体を横断して延在する。
【００９３】
図１３は、図１１−１２の光学システム２１００から出力された光の実施例を図示する。光は、光エミッタ２１４０から離れてレンズ２１２０の中に、次いで、レンズ２１２０から光変調器２０９ｂに伝搬する。レンズ２１２０および光変調器２０９ｂは、本図では、線として図式的に表される。本明細書に記載されるように、光エミッタ２１４０とレンズ２１２０との間の距離は、レンズの焦点距離と等しくてもよく、レンズ２１２０と光変調器２０９ｂとの間の距離もまた、レンズの焦点距離と等しくてもよい。
【００９４】
いくつかの実施形態では、反射体２１１０は、同一形状、例えば、円形である、光入力開口部と、光出力開口部とを有する。いくつかの他の実施形態では、光入力開口部および光出力開口部の形状は、異なる。図１４Ａ−１４Ｆは、異なる形状を伴う光入力開口部と、光出力開口部とを有する、反射体の実施例を図示する。光入力開口部および光出力開口部の形状を変動させる能力は、異なる形状または縦横比を有する、光エミッタおよび光変調器を効率的に合致させる利点を提供することができる。
【００９５】
図１４Ａ−１４Ｃは、段階的楕円形形状を伴う、反射体２１１０を図示する。図１４Ａは、視認者に面した光出力開口部２１０４を伴う、斜視図である。図１４Ｂは、図１４Ａの平面１４Ｂを直視する、側面図である。図１４Ｃは、ここでは、図１４Ａの平面１４Ｃを直視する、別の側面図である。平面１４Ｂは、平面１４Ｃに直交する。図示されるように、いくつかの実施形態では、反射体２１１０の光入力開口部２１０２は、円形形状を有し、これは、平面１４Ａおよび１４Ｂに沿って見られるように、光出力開口部２１０４が楕円形形状を有するように、異なるレートで段階的に拡張する。例えば、側壁２１１２ａおよび２１１２ｂは、側壁２１１２ｃおよび２１１２ｄより大きいレートで外方に拡張する。いくつかの実施形態では、切り欠き２１１４が、光入力開口部２１０２に存在し、側壁２１１２ｃの中に延在してもよい。切り欠き２１１４は、光エミッタ（例えば、光エミッタ２１４０、図１２）のためのコネクタ（例えば、ワイヤボンド）が収容されることを可能にし得る。
【００９６】
図１４Ｄ−１４Ｆは、長方形光入力開口部２１０２を伴う、反射体２１１０を図示する。図１４Ｄは、視認者に面した光出力開口部２１０４を伴う、斜視図である。図１４Ｅは、図１４Ｄの平面１４Ｅを直視する側面図である。図１４Ｆは、ここでは、図１４Ｄの平面１４Ｆを直視する別の側面図である。平面１４Ｅは、平面１４Ｆに直交する。図示されるように、いくつかの実施形態では、反射体２１１０の光入力開口部２１０２は、長方形形状（例えば、正方形形状）を有し、これは、光出力開口部２１０４が異なる長さおよび幅を伴う長方形形状を有するように、段階的に拡張する。正方形光入力開口部２１０２は、多くのＬＥＤ等の正方形光エミッタに噛合するために有益であり得ることを理解されたい。一方、反射体２１１０が光を光変調器２０９ｂ（図６）に提供するために使用される用途では、光変調器２０９ｂは、画像を標準的縦横比において生成するように構成されてもよく、１つの寸法は、別の交差寸法より大きい（例えば、縦横比は、４：３、１６：９等であってもよい）。図１４Ｄに図示されるように、光出力開口部２１０４は、２つの曲線辺２１０４ｃ、２１０４ｄによって継合される、２つの直線辺２１０４ａ、２１０４ｂを有してもよい。
【００９７】
図１４Ａ−１４Ｆを参照すると、平面１４Ａ、１４Ｂ、１４Ｅ、および１４Ｆは、反射体２１１０の種々の図示される実施形態を実質的に二分する、中央平面である（少なくとも光出力開口部２１０４を参照すると）。光出力開口部２１０４から光入力開口部２１０２までの距離は、反射体２１１０の高さであると見なされ得、平面１４Ａ、１４Ｂ、１４Ｅ、および１４Ｆは、それぞれ、反射体２１１０の高さ軸に沿って延在する軸を有すると見なされ得ることを理解されたい。加えて、対の中央平面１４Ａおよび１４Ｂ、および、１４Ｅおよび１４Ｆは、相互に直交する。好ましくは、中央平面１４Ａ、１４Ｂ、１４Ｅ、および１４Ｆに見られるように、内部側壁２１１２ａ、２１１２ｂ、２１１２ｃ、２１１２ｄはそれぞれ、ＣＰＣプロファイルに追従し、ある曲率の複合放物面型集光器を有する。
【００９８】
反射体と、レンズとを備える、光学システムは、非常に空間的に均一な光出力を提供する。図１５Ａおよび１５Ｂは、それぞれ、図１４Ａ−１４Ｃおよび１４Ｄ−１４Ｆの反射体の光出力に関する均一性マップの実施例を図示する。これらのマップでは、異なる色は、異なる光強度を示す。有利には、図示されるように、色および強度は、非常に均一であって、高空間均一性を示す。
【００９９】
光出力はまた、良好な角度均一性を有する。図１６は、本明細書の実施形態による、レンズと併せた図１４Ａ−１４Ｃの反射体に関する角度空間内の光出力の強度を示す、マップの実施例を図示する。Ｖは、光出力開口部２１０４（図１４Ａ）の主（より長い）軸に沿った光出力の角度広がりに対応し、Ｈは、光出力開口部２１０４の副（短）軸に沿った光出力の角度広がりに対応し、対角線は、光出力開口部の対角線に沿った光出力の角度広がりに対応する。着目すべきこととして、Ｖ、Ｈ、および対角線毎のカットオフは、鋭的であって、光がレンズから出射する角度が類似し、それらの角度の外側に最小限の迷光を伴うことを示す。
【０１００】
いくつかの実施形態では、反射体およびレンズシステムは、反射体およびレンズのアレイの一部を形成してもよい。反射体は、単に、適切に成形された体積内に形成され得るため、反射体のアレイは、材料の単一本体内に形成されてもよい。図１７Ａ−１７Ｂは、それぞれ、図１４Ａ−１４Ｃおよび１４Ｄ−１４Ｆの反射体のアレイの実施例の斜視図を図示する。図１７Ａは、図１４Ｄ−１４Ｆに関して議論されるように、楕円形光出力開口部を有する、反射体を示し、図１７Ｂは、直線および湾曲辺を伴う伸長出力開口部を有する、反射体を示す。図１７Ａおよび１７Ｂの両方において、複数の反射体２１１０は、材料２２００の本体、例えば、材料のプレート内に形成されてもよい。例証を容易にするために、類似であるように示されるが、本体２２００内の反射体のサイズおよび／または形状は、いくつかの実施形態では、変動してもよいことを理解されたい。
【０１０１】
本体２２００は、反射体２１１０の所望の形状を維持するために十分な機械的完全性を有する、種々の材料から形成されてもよいことを理解されたい。好適な材料の実施例は、金属、プラスチック、およびガラスを含む。本明細書に議論されるように、本体２２００は、プレートであってもよい。いくつかの実施形態では、本体２２００は、材料の連続した一体型部品である。いくつかの他の実施形態では、本体２２００は、材料の２つまたはそれを上回る部品をともに継合することによって形成されてもよい。
【０１０２】
反射体２１１０は、種々の方法によって、本体２２００内に形成されてもよい。例えば、反射体２１１０は、本体２２００を機械加工することによって、または別様に材料を除去し、反射体２１１０を刻設することによって、形成されてもよい。いくつかの他の実施形態では、反射体２１１０は、本体２２００が形成されるにつれて、形成されてもよい。例えば、反射体２１１０は、本体２２００がその所望の形状に成型されるにつれて、本体２２００に成型されてもよい。いくつかの他の実施形態では、反射体２１１０は、本体２２００の形成後、材料の再配列によって形成されてもよい。例えば、反射体２１１０は、インプリンティングによって形成されてもよい。
【０１０３】
いったん反射体２１１０の輪郭が形成されると、反射体体積は、さらなる処理を受け、所望の反射度を有する内側表面を形成してもよい。いくつかの実施形態では、本体２２００の表面自体が、反射性であってもよく、例えば、本体は、反射金属から形成される。そのような場合、さらなる処理は、単に、反射体２１１０の内部表面を平滑化し、その反射率を増加させることを含んでもよい。いくつかの他の実施形態では、反射体２１１０の内部表面は、反射コーティングで裏打ちされてもよい。
【０１０４】
前述のような反射体２１１０の成形は、反射体の光出力が角度空間内で成形されることを可能にし、非対称角度分布を提供することを理解されたい。有利には、反射体形状は、本明細書に記載のように、所望のディスプレイ縦横比に合致する、光出力を提供するために使用されてもよい。いくつかの他の実施形態では、所望の縦横比は、レンズの前方に設置されたマスクを使用して達成されてもよい。
【０１０５】
図１８は、光エミッタ２１４０、反射体２１１０、およびレンズ２１２０のアレイと、マスク２４００とを有する、光学システムの実施例の斜視図を図示する。いくつかの実施形態では、光エミッタ２１４０は、支持基板２３００、例えば、印刷回路基板上に搭載される。光エミッタ２１４０および反射体２１１０の空間レイアウトは、好ましくは、各光エミッタ２１４０が個々の対応する反射体２１１０と垂直に整合されるように合致される。いくつかの実施形態では、光エミッタ２１４０、反射体２１１０、およびレンズ２１２０のアレイ、随意に、マスク２４００は、光モジュール５４０（図６）を形成してもよい。
【０１０６】
いくつかの実施形態では、光エミッタ２１４０は全て、類似してもよい。いくつかの他の実施形態では、光エミッタ２１４０の少なくともいくつかは、異なってもよく、例えば、いくつかの光エミッタは、他の光エミッタと異なる波長または波長範囲の光を出力してもよい。例えば、光エミッタ２１４０は、光エミッタのグループ、例えば、光エミッタの３つのグループを形成してもよく、各グループは、異なる色（例えば、赤色、緑色、および青色）に対応する波長の光を放出する。いくつかの実施形態では、光エミッタの３つを上回るグループ（３つを上回る異なる波長範囲の光を放出するため）が、存在してもよい。光エミッタの異なるグループは、ディスプレイシステム２５０（図６）等のディスプレイシステムのための異なる原色の光を提供するために利用されてもよい。例えば、各グループの光エミッタは、光線７７０、７８０、７９０（図９Ａ−９Ｂ）を放出するために利用されてもよい。
【０１０７】
いくつかの実施形態では、光エミッタ、反射体、およびレンズは、光を導波管のスタック６６０（図９Ａ−９Ｃ）に提供するために利用される。そのような実施形態では、光エミッタ２１４０の空間レイアウトと反射体２１１０の空間レイアウトとの間の合致に加え、光エミッタ２１４０および反射体２１１０はまた、好ましくは、導波管のスタック６６０内の内部結合光学要素（例えば、内部結合光学要素７００、７１０、７２０）の空間レイアウトに合致するように配列される。好ましくは、光エミッタ２１４０および反射体２１１０の空間レイアウトは、反射体２１１０の空間配列が、平面図に見られるように、光内部結合光学要素７００、７１０、７２０の空間配列と１対１で対応するように、内部結合光学要素７００、７１０、７２０の空間レイアウトに合致する。そのような配列を用いることで、特定の光エミッタからの光は、導波管６７０、６８０、６９０のその他の中に指向されずに、導波管６７０、６８０、６９０のうちの関連付けられた１つの中に確実に指向され得る。
【０１０８】
図１８を継続して参照すると、光学システム２１００が図示されるように配向された状態では、反射体の光入力開口部は、本体２２００の底部にあって、光出力開口部は、本体２２００の上部にある。好ましくは、本体２２００の下側表面は、光が光エミッタから光エミッタに合致する反射体以外の反射体２１１０の中に有意に伝搬しないように、基板２３００の上側表面上に平坦に置かれるように輪郭付けられる。有利には、本体２２００の下側表面および基板２３００の上側表面は両方とも、平坦であってもよく、これは、本体２２０と基板２３００との間の界面における緊密な嵌合を促進し、望ましくない迷光が個々の反射体２１１０に到達することを防止し得る。
【０１０９】
レンズ２１２０が、反射体２１１０の光出力開口部に提供される。図示されるように、各反射体２１１０は、個々の関連付けられたレンズ２１２０を有する。いくつかの他の実施形態では、レンズの一部または全部は、材料の単一シート内に形成されてもよい。そのような実施形態では、材料のシートは、好ましくは、薄い、例えば、十分な構造完全性を維持し、レンズをともに保持しながら、反射体間の光漏出を最小限にするために十分に薄い。
【０１１０】
図１８を継続して参照すると、マスク２４００が、レンズ２１２０の前方に提供される。マスク２４００は、光出力のための所望の形状において、開口部２４０２、例えば、カットアウトを有する。したがって、マスク２４００は、空間光成形のために利用されてもよい。開口部２４０２は、好ましくは、反射体の光出力開口部より小さい面積を有する。いくつかの実施形態では、反射体の中に面するマスク表面（例えば、マスク２４００の底部表面）は、反射性であって、これは、光エミッタ２１４０と、反射体２１１０と、レンズ２１２０とを備える、光モジュールの効率および明るさを増加させ得る。いくつかの他の実施形態では、底部表面は、吸収性であって、これは、マスクの底部表面と反射体２１１０との間のランダム反射を防止することによって、反射体２１１０から開口部２４０２を通して通過する光の経路のより高度な制御を提供し得る。
【０１１１】
反射体２１１０の輪郭の画定に加え、本体２２００は、他の目的のための他の構造を含んでもよい。図１９は、反射体のアレイ２１１０と、配線等の光エミッタ構造のためのくぼみ２２１０とを有する、本体２２００の実施例の斜視図を図示する。くぼみ２２１０は、それらが、光エミッタ２１４０（図１８）の一部または光エミッタ２１４０に接続される構造を収容し得、本体２２００が、光漏出を伴わずに、基板２３００に対して緊密に嵌合し得るように成形され、そのような深度を有する。反射体２１１０と同様に、くぼみ２２１０は、機械加工、成型、およびインプリンティングを含む、種々の方法によって形成されてもよい。
【０１１２】
いくつかの実施形態では、本体２２００は、均一厚さを有してもよい。いくつかの他の実施形態では、本体２２００の厚さは、変動してもよい。図２０Ａ−２０Ｂは、異なる高さを伴う反射体を有する、材料の本体２２００の実施例の斜視図を図示する。反射体は、本体２２００を通して完全に延在するため、反射体のための異なる高さは、本体２２００の厚さを異なる高さに設定することによって達成されてもよい。実施例として、図２０Ａ−２０Ｂは、３つの高さまたはレベル２２００ａ、２２００ｂ、および２２００ｃを図示する。より少ないまたはそれを上回るレベルが、所望に応じて提供されてもよく、レベルは、いくつかの実施形態では、図示されるものと異なるように配列されてもよいことを理解されたい。
【０１１３】
反射体２１１０のための異なる高さは、光エミッタ２１４０（図１８）の異なるグループが異なる波長の光を放出する用途に利点を提供し得る。異なる波長の光は、対応する光エミッタ２１４０から異なる距離に集束してもよい。その結果、光が最良に集束される距離に基づいて選択された異なる高さを伴う、反射体２１１０は、光エミッタ２１４０、反射体２１１０、およびレンズ２１２０がディスプレイシステム内で使用される場合、画質の改良を提供することが予期され得る。レンズ２１２０が関連付けられた光エミッタ２１４０から１つの焦点距離上に位置付けられる、いくつかの実施形態では、１つの焦点距離に対応する距離は、放出される光の波長と、本体２２００の一部の厚さとに伴って変動し、光エミッタ２１４０および関連付けられた反射体２１１０およびレンズ２１２０が、光エミッタ２１４０からの適切な１つの焦点距離におけるレンズ２１２０の設置を可能にするように選択され得ることに適応してもよい。
【０１１４】
いくつかの他の実施形態では、反射体２１１０は全て、同一高さを有してもよく、光エミッタ２１４０の異なるグループのためのレンズ２１２０は、異なってもよい。例えば、光エミッタ２１４０の異なるグループのためのレンズ２１２０は、異なる焦点距離を有し、異なる波長の光によって生じる差異を考慮するように構成されてもよい。
【０１１５】
ここで図２１Ａ−２１Ｅを参照すると、反射体２１１０の実施例の種々の図が、図示される。反射体２１１０は、ＣＰＣプロファイルに追従する、種々の形状をとってもよいことを理解されたい。いくつかの実施形態では、反射体２１１０は、複数の辺またはファセットによって形成されてもよく、それぞれ、側面図に見られるように、ＣＰＣプロファイルを有する。すなわち、いくつかの実施形態では、反射体２１１０の全ての内辺は、各辺が側面図に見られるとき、ＣＰＣプロファイルを有してもよい。図２１Ａの図は、反射体の光入力開口部端部から反射体を見下ろして見られるような反射体２１１０を示す。図２１Ｂおよび２１Ｃの図は、対向側から見られるような反射体２１１０を示す。図２１Ｄの図は、図ＢおよびＣに見られる辺に直交する辺から見られるような反射体２１１０を示す。図２１Ｅの図は、反射体の光出力端部から視認されるような反射体２１１０の斜視図を示す。側壁２１１２Ａおよび２１１２Ｂは両方とも、ＣＰＣプロファイルを有してもよく、側壁２１１２Ｃおよび２１１２Ｄもまた両方とも、ＣＰＣプロファイルを有してもよい。加えて、全ての他の辺が、側面図に見られるように、ＣＰＣプロファイルを有してもよい。加えて、いくつかの実施形態では、図２１Ａおよび２１Ｅの図から分かるように、反射体２１１０の各辺は、反射体２１１０の高さ軸（入力端部２１０２から出力端部２１０４まで延在する）に対して横方向の平面に沿って得られる断面図で視認されるとき、線形または平坦である。
【０１１６】
いくつかの実施形態では、２つの対向辺、例えば、辺２１１２Ｃおよび２１１２Ｄまたは辺２１１２ａおよび２１１２ｂは、同一ＣＰＣプロファイルを有するが、プロファイルは、全ての他の辺のＣＰＣプロファイルと異なる。加えて、全ての他の辺は、同一ＣＰＣプロファイルを有してもよい。したがって、いくつかの実施形態では、反射体２１１０の全ての内辺の曲率は、一対の対向内辺のもの以外、同一であってもよい。いくつかの他の実施形態では、本明細書に記載されるように、反射体２１１０の内辺は、楕円形、双曲線、または双円錐形状のものを含む、他の輪郭に追従してもよい、または反射体２１１０の入力端部２１０２から出力端部２１０４まで実質的に線形であってもよい。
【０１１７】
好ましくは、総辺数は、偶数、例えば、４、６、８、１０、１２等である。いくつかの実施形態では、総辺数は、８つまたはそれを上回ってもよく、これは、非常に空間的に均一な光出力を提供することが見出されている。
【０１１８】
光入力開口部２１０２は、下層光エミッタを収容するように定寸されてもよいことを理解されたい。いくつかの実施形態では、光エミッタは、約５００μｍまたはそれを上回る、６００μｍまたはそれを上回る、７００μｍまたはそれを上回る、もしくは８００μｍまたはそれを上回る最大幅を有してもよい。いくつかの実施形態では、光入力開口部２１０２は、５００μｍまたはそれを上回る、６００μｍまたはそれを上回る、７００μｍまたはそれを上回る、８００μｍまたはそれを上回る、９００μｍまたはそれを上回る、もしくは１ｍｍまたはそれを上回る最大幅を有してもよい。いくつかの実施形態では、光入力開口部２１０２は、２ｍｍ未満、１．５ｍｍ未満、または１ｍｍ未満の幅を有する。
【０１１９】
図２２Ａ−２２Ｂは、図２１の反射体２１１０の付加的斜視図を図示する。図２２Ｃ−２２Ｄは、それぞれ、反射体２１１０の光出力開口部側および光入力開口部側から見られるような図２１の反射体のさらに他の付加的斜視図を図示する。
【０１２０】
図２３Ａおよび２３Ｂは、それぞれ、丸みを帯びたプロファイルを有する反射体（反射体の高さ軸に対して横方向の平面に沿って得られた断面に見られるように）および実質的に線形内部側壁の交差点に鋭角を有する反射体（反射体の高さ軸に対して横方向の平面に沿って得られた断面に見られるように）の光出力に関する均一性マップの実施例を図示する。望ましくなく、図２３Ａに示されるように、丸みを帯びたプロファイルの反射体は、低強度の面積を有する光出力をマップの中央に提供する。本低強度面積は、それ自体は望ましくないが、マップの中央はまた、視認者の視野の中心であり得、視認者は、本面積内の非均一性に特に高感度を有し得ることを理解されたい。有利には、図２３Ｂに示されるように、図２１−２２Ｄに関して前述のような辺毎に鋭角およびＣＰＣプロファイルを有する、８辺反射体は、非常に均一な光出力を提供する。
【０１２１】
本発明の種々の例示的実施形態が、本明細書で説明される。非限定的な意味で、これらの実施例を参照する。それらは、本発明のより広く適用可能な側面を例証するように提供される。種々の変更が、説明される本発明に行われてもよく、本発明の精神および範囲から逸脱することなく、均等物が置換されてもよい。
【０１２２】
例えば、有利には、複数の深度平面を横断して画像を提供する、ＡＲディスプレイとともに利用されるが、本明細書に開示される拡張現実コンテンツはまた、画像を単一深度平面上に提供するシステムによって表示されてもよい。
【０１２３】
加えて、有利には、ディスプレイシステムのための光源として適用されるが、本明細書に開示される反射体およびレンズシステムは、非常に空間的に均一な光が所望される、他の用途において利用されてもよい。さらに、反射体およびレンズの単純な機械的構造は、反射体およびレンズのアレイ内におけるその使用を促進するが、反射体およびシステムはまた、単一反射体および関連付けられたレンズを伴う、光学システム内で使用されてもよい。
【０１２４】
また、反射体２１１０（図１４Ｃ）は、光エミッタのためのワイヤボンド等のコネクタを収容するための切り欠き２１１４を有してもよいが、いくつかの他の実施形態では、切り欠き２０１４は、排除されてもよいことを理解されたい。例えば、側壁２１１２ｃは、反射体２１１０の他の側壁と同一レベルに継続してもよい。そのような実施形態では、突出するワイヤボンドを有していない、光エミッタが、利用されてもよく、反射体２１１０の側壁は、光エミッタを支持する印刷回路基板等の基板に接触するように延在してもよい。突出するワイヤボンドを伴わない光エミッタの実施例は、フリップチップＬＥＤである。光エミッタにわたって延在するワイヤボンドは、可視アーチファクトを光エミッタを使用して形成される画像内に生産する、陰影を生じさせ得ることが見出されている。有利には、ワイヤボンドを排除し、反射体側壁を光エミッタ基板まで延在させることは、そのようなアーチファクトを排除し、画質を改良し得る。
【０１２５】
加えて、特定の状況、材料、組成物、プロセス、プロセスの行為またはステップを、本発明の目的、精神、または範囲に適合させるように、多くの修正が行われてもよい。さらに、当業者によって理解されるように、本明細書で説明および図示される個々の変形例のそれぞれは、本発明の範囲または精神から逸脱することなく、他のいくつかの実施形態のうちのいずれかの特徴から容易に分離され得るか、またはそれらと組み合わせられ得る、離散コンポーネントおよび特徴を有する。全てのそのような修正は、本開示と関連付けられる請求項の範囲内であることを目的としている。
【０１２６】
本発明は、本デバイスを使用して行われ得る方法を含む。本方法は、そのような好適なデバイスを提供する行為を含んでもよい。そのような提供は、ユーザによって行われてもよい。換言すると、「提供する」行為は、本方法において必要デバイスを提供するために、取得する、アクセスする、接近する、位置付ける、設定する、起動する、電源投入する、または別様に作用するようにユーザに要求するにすぎない。本明細書に記載される方法は、論理的に可能である記載された事象の任意の順序で、ならびに事象の記載された順序で実行されてもよい。
【０１２７】
本発明の例示的側面が、材料選択および製造に関する詳細とともに、上記で記載されている。本発明の他の詳細に関して、これらは、上記の参照された特許および公開に関連して理解されるとともに、概して、当業者によって把握または理解され得る。同じことが、一般的または論理的に採用されるような付加的な行為の観点から、本発明の方法ベースの側面に関して当てはまり得る。
【０１２８】
加えて、本発明は、種々の特徴を随意に組み込む、いくつかの実施例を参照して説明されているが、本発明は、本発明の各変形例に関して考慮されるように説明または指示されるものに限定されるものではない。種々の変更が、説明される本発明に行われてもよく、本発明の精神および範囲から逸脱することなく、（本明細書に記載されるか、またはいくらか簡潔にするために含まれないかどうかにかかわらず）均等物が置換されてもよい。加えて、値の範囲が提供される場合、その範囲の上限と下限との間の全ての介在値、およびその規定範囲内の任意の他の規定値または介在値が、本発明内に包含されることが理解される。
【０１２９】
また、本明細書で説明される発明の変形例の任意の随意的な特徴が、独立して、または本明細書で説明される特徴のうちのいずれか１つまたはそれを上回る特徴と組み合わせて、記載および請求され得ることが考慮される。単数形の項目の言及は、複数の同一項目が存在する可能性を含む。より具体的には、本明細書で、およびそれに関連付けられる請求項で使用されるように、「１つの（ａ、ａｎ）」、「該（ｓａｉｄ）」、および「該（ｔｈｅ）」という単数形は、特に別様に記述されない限り、複数の指示対象を含む。換言すると、冠詞の使用は、上記の説明ならびに本開示と関連付けられる請求項で、対象項目の「少なくとも１つ」を可能にする。さらに、そのような請求項は、任意の随意的な要素を除外するように起草され得ることに留意されたい。したがって、この記述は、請求項要素の記載に関連する「だけ」、「のみ」、および同等物等のそのような排他的用語の使用、または「否定的」制限の使用のための先行詞としての機能を果たすことを目的としている。
【０１３０】
そのような排他的用語を使用することなく、本開示と関連付けられる請求項での「備える」という用語は、所与の数の要素がそのような請求項で列挙されるか、または特徴の追加をそのような請求項に記載される要素の性質を変換するものと見なすことができるかどうかにかかわらず、任意の付加的な要素の包含を可能にするものとする。本明細書で特に定義される場合を除いて、本明細書で使用される全ての技術および科学用語は、請求項の有効性を維持しながら、可能な限り広義の一般的に理解されている意味を与えられるものである。
【０１３１】
本発明の範疇は、提供される実施例および／または本明細書に限定されるものではなく、むしろ、本開示と関連付けられる請求項の範囲のみによって限定されるものとする。
【図１】
2019514034.tif 000003
【図２】
2019514034.tif 000004
【図３】
2019514034.tif 000005
【図４】
2019514034.tif 000006
【図５Ａ】
2019514034.tif 000007
【図５Ｂ】
2019514034.tif 000008
【図５Ｃ】
2019514034.tif 000009
【図６】
2019514034.tif 000010
【図７】
2019514034.tif 000011
【図８】
2019514034.tif 000012
【図９Ａ】
2019514034.tif 000013
【図９Ｂ】
2019514034.tif 000014
【図９Ｃ】
2019514034.tif 000015
【図１０】
2019514034.tif 000016
【図１１】
2019514034.tif 000017
【図１２】
2019514034.tif 000018
【図１３】
2019514034.tif 000019
【図１４Ａ】
2019514034.tif 000020
【図１４Ｂ】
2019514034.tif 000021
【図１４Ｃ】
2019514034.tif 000022
【図１４Ｄ】
2019514034.tif 000023
【図１４Ｅ】
2019514034.tif 000024
【図１４Ｆ】
2019514034.tif 000025
【図１５Ａ】
2019514034.tif 000026
【図１５Ｂ】
2019514034.tif 000027
【図１６】
2019514034.tif 000028
【図１７Ａ】
2019514034.tif 000029
【図１７Ｂ】
2019514034.tif 000030
【図１８】
2019514034.tif 000031
【図１９】
2019514034.tif 000032
【図２０Ａ】
2019514034.tif 000033
【図２０Ｂ】
2019514034.tif 000034
【図２１Ａ】
2019514034.tif 000035
【図２１Ｂ】
2019514034.tif 000036
【図２１Ｃ】
2019514034.tif 000037
【図２１Ｄ】
2019514034.tif 000038
【図２１Ｅ】
2019514034.tif 000039
【図２２Ａ】
2019514034.tif 000040
【図２２Ｂ】
2019514034.tif 000041
【図２２Ｃ】
2019514034.tif 000042
【図２２Ｄ】
2019514034.tif 000043
【図２３Ａ】
2019514034.tif 000044
【図２３Ｂ】
2019514034.tif 000045
【国際調査報告】
2019514034.tif 000046